(57)【要約】      （修正有）【課題】その一部に他の部分の素地と同じか又は近い太さの糸を用いたメッシュ素地を使用し、高い通気性と良好な使用感を維持しながら、その強度を低下させることのないシャツを提供する。【解決手段】背部の最上部から、左右両脇下部にかけて、大略「人」字型のメッシュ部分を設けたシャツであって、当該メッシュ部分上に、背部の襟ぐり部中央部から、「人」字型メッシュ部分の最上部に近い左右両側部と、「人」字型メッシュ部分の最上部に近い左右両側部から、それぞれ「人」字型メッシュ部分の上部左右両側部および同じく中央下部左右両側部と、「人」字型メッシュ部分の上部左右両側部から、それぞれ「人」字型メッシュ部分の中央下部左右両側部とを連結する形状の補強布部材を取り付けてなることを特徴とする。【選択図】図２
0003167800.tif 000002
【実用新案登録請求の範囲】
【請求項１】
背部の最上部から、左右両脇下部にかけて、大略「人」字型のメッシュ部分を設けたシャツであって、当該メッシュ部分上に、次の（１）ないし（３）
（１）背部の襟ぐり部中央部から、「人」字型メッシュ部分の最上部に近い左右両側部
（２）「人」字型メッシュ部分の最上部に近い左右両側部から、それぞれ「人」字型メ
ッシュ部分の上部右左両側部および同じく中央下部右左両側部
（３）「人」字型メッシュ部分の上部左右両側部から、それぞれ「人」字型メッシュ部
分の中央下部右左両側部
を連結する形状の補強布部材を取り付けてなることを特徴とする通気性シャツ。
【請求項２】
前記補強布部材が、１枚の布を、前記（１）ないし（３）が結合した形状に切り取ったものである請求項１記載の通気性シャツ。
【請求項３】
前記補強布部材が、前記メッシュ部分以外の部分の素材と同じであるか、これより伸縮性の少ない素材である請求項１または２記載の通気性シャツ。
【請求項４】
袖があるシャツであり、その袖がラグラン袖である請求項１ないし３の何れかの項記載の通気性シャツ。
【請求項５】
前記メッシュ部の素材が、ポリエステル、ナイロン等の合成繊維、あるいは綿、麻、レーヨン等の天然系繊維である請求項１ないし４の何れかの項記載の通気性シャツ。
【請求項６】
前記メッシュ部分以外の部分の素材が伸縮性のある編布である請求項１ないし５の何れかの項記載の通気性シャツ。
【考案の詳細な説明】
【技術分野】
【０００１】
本考案は、通気性シャツに関し、更に詳細には、背面に通気性部分を設けながらも、十分な強度を有し、かつ運動時における上半身の複雑な動きに対応できる、着心地の良い通気性シャツに関する。
【背景技術】
【０００２】
運動などを行う際には、しばしば汗をかき、通常のシャツを着用しているとシャツの下がムレることを感じることも多い。この様なムレ感を防止するには、シャツを通して肌の水分を速やかに逃がすことが有効であり、通気性の高いシャツが求められている。
【０００３】
このような通気性の高いシャツの例としては、シャツ素材の全部または一部がメッシュ布となっているものが挙げられるが（例えば、特許文献１等）、一般にメッシュの布は、通常の編布に比べ強度が低いため、その素材として相対的に強度の高いもの（織り糸の太いもの）が利用されており、着用時にごわごわした感触を与えてしまうという問題があった。一方、通常の編布と同じか、または近い太さの糸を利用したメッシュ布を使用すると、ごわごわした感触はなくなるものの、シャツ自体の強度が大きく低下するという問題が生じる。
【先行技術文献】
【特許文献】
【０００４】
【特許文献１】特開２００６−１６９６４８
【考案の概要】
【考案が解決しようとする課題】
【０００５】
本考案は上記実情に鑑みなされたものであり、その一部を他の部分の素地と同じか又は近い太さの糸を用いたメッシュ素地を使用し、高い通気性と良好な使用感を維持しながら、その強度を低下させることのないシャツを提供することである。
【課題を解決するための手段】
【０００６】
本考案者らは、上記課題を解決すべく、鋭意研究を行っていたところ、背中側に他の部分と同じまたは近い太さの糸で形成した大きなメッシュ部分を設けても、このメッシュ部分に接する他の布部分の所定の位置間を、補強布部材で結合することにより、十分な強度が得られると共に、高い通気性と良好な使用感も得られることを見出し、本考案を完成した。
【０００７】
すなわち本考案は、背部の最上部から、左右両脇下部にかけて、大略「人」字型のメッシュ部分を設けたシャツであって、当該メッシュ部分上に、次の（１）ないし（３）
（１）背部の襟ぐり部中央部から、「人」字型メッシュ部分の最上部に近い左右両側部
（２）「人」字型メッシュ部分の最上部に近い左右両側部から、それぞれ「人」字型メ
ッシュ部分の上部右左両側部および同じく中央下部右左両側部
（３）「人」字型メッシュ部分の上部左右両側部から、それぞれ「人」字型メッシュ部
分の中央下部右左両側部
を連結する形状の補強布部材を取り付けてなることを特徴とする通気性シャツである。
【考案の効果】
【０００８】
上記のように構成される本考案の通気性シャツは、相対的に太い糸によるメッシュ素地を使用しなくても、メッシュ部分に接する他の布部分の間に設けた補強布部材の働きによって、シャツ自体の強度が低下することはない。また、上記（１）ないし（３）の結合は、常に一体となっており別個に動くことが少ない背面上であるので、運動時においても体の動きを妨げることはなく、安定にホールドできるものである。
【０００９】
従って、本考案により、運動時における上半身の複雑な動きに影響受けることは少なく、着心地の良い、しかも通気性の良いシャツが得られる。
【図面の簡単な説明】
【００１０】
【図１】本考案の一態様を示す通気性シャツの正面図である。
【図２】本考案の一態様を示す通気性シャツの背面図である。
【図３】本考案の一態様を示す通気性シャツの斜視図である。
【考案を実施するための形態】
【００１１】
次に、本考案の実施態様を挙げ、本考案を詳しく説明する。
【００１２】
図１は、本考案の実施態様である通気性シャツの正面図であり、図２はその背面図であり、図３はその斜視図である。図中、１は通気性シャツ、２は袖部、３は前身頃、４は下部前身頃、５は襟部材、６は「人」字型メッシュ部分、７は補強布部材、８は後身頃、９は上部後身頃をそれぞれ示し、Ａは背部の襟ぐり部中央部、ＢおよびＢ’は「人」字型メッシュ部分（以下、「メッシュ部分」という）の最上部に近い側部（以下、「近最上部側部」という）、ＣおよびＣ’はメッシュ部分の上部側部、ＤおよびＤ’はメッシュ中央下部側部を示す。
【００１３】
図１および図２から明らかなように、本考案の通気性シャツは、背面から正面にかけ、大略「人」字型のメッシュ部分６、すなわち背面最上部から、徐々に左右に広がり、背面の中央部付近で左右２手に分かれ、最後は正面の左右脇下にまで伸びるメッシュ部分（背面の上部側から中央部、中心部から脇方向に分かれて前面脇に至るメッシュ部）を有するものである。
【００１４】
このメッシュ部分６は、後記するように補強布部材７（ボンディング生地）により補強される。このメッシュ部分６は、一般に衣類に使用されるメッシュ素材（例えば、ポリエステル、ナイロン等の合成繊維、あるいは綿、麻、レーヨン等の天然系繊維等のメッシュ素材）により構成される。
【００１５】
そして、このメッシュ部分６の上には、メッシュ部分に接する他の布部分の(1) 背部の襟ぐり部中央部Ａと、近最上部右側部Ｂおよび近最上部左側部Ｂ’、(2) 近最上部右側部Ｂと上部左側部Ｃ’、(3) 近最上部左側部Ｂ’と上部右側部Ｃ、(4) 近最上部右側部Ｂと中央下部左側部Ｄ’、(5) 近最上部左側部Ｂ’と中央上部右側部Ｄ、(6) 上部右側部Ｃと中央下部右側部Ｄ、(7) 上部左側部Ｃ’と中央上部左側部Ｄ’を結合するような形状で補強布部材７が取り付けられている。この補強布部材７の形状は、また、背中の中心に設けたＸ字型と、その上下にＷ字型の形を組み合わせた形状とも表現できる。なお、上記近最上部側部の位置を、背部の全長に対しての割合で示すと、上から１０〜１５％程度の位置であり、上部側部の位置は、２２〜２８％程度の位置、中央下部は、４１〜５２％程度の位置である。
【００１６】
前記メッシュ部分６の強度を上げる補強布部材７は、上記の(1)〜(7)のように、結合することが必要である。この補強布部材７としては、例えばリボンのような紐部材を用い、これで各部分間を結合しても良いが、一般には、１枚の布を各部分を結合した形状に切り取り、これをメッシュ部分６の上に取り付けることが好ましい。この補強布部材７の取り付けは、メッシュ部分６への縫い付け、あるいはその上への貼り付け等の手段が挙げられる。
【００１７】
この補強布部材７は、メッシュ部分６以外の部分の素材（以下、「身生地」という）と同じ素材や、これより伸縮性の少ない素材とすることが好ましく、これにより、メッシュ部分の補強と同時に、背中でのホールド感を与えることができる。
【００１８】
本考案においては、上記したメッシュ部分６の形状（「人」字型）と、その上の７点が補強布部材７で結合していることが重要であるが、より使用しやすい通気性シャツとするためには、更にその袖をラグラン袖とすることが好ましい。また、身生地（メッシュ部分以外の布）は、いわゆるニットと呼ばれる伸縮性の高い編布（例えばエステルベア天等）とすることが好ましい。
【００１９】
本考案の通気性シャツの製造は、一般的な縫製方法で上記した形状に仕上げることにより行われ、特に制約はないが、その一例としては下記方法を挙げることができる。
(1)まず、メッシュ部分６に補強部材７を貼り付けまたは縫い付けたのち、上部後身頃
９と縫い合わせる。
(2)次いで、上記パーツを前身頃３と縫い合わせる。
(3)袖部２の袖口伏せを行い、袖下部分を縫い合わせて筒状にする。
(4)筒状にした袖部２を前身頃３、上部後身頃９、メッシュ部分６と縫い合わせて両袖
を取り付ける。
(5)衿周り部材５を縫い付ける。
(6)メッシュ部分６と前身頃３に後身頃８、下部前身頃４を縫い合わせる。
(7)最後に裾部分を折り返し縫製して完成させる。
【００２０】
以上のようにして製造された通気性シャツは、背中から脇にかけてメッシュ部分６にすることで通気性を確保し、ムレ感を抑えたものであり、また、このメッシュ部分６上には、補強布部材７が特定の形状で取り付けられているため、背中にかかる経、緯、斜め方向の力に対して柔軟に対応することができると共に、背中のホールド感を持たせることが可能である。
【００２１】
このように、本考案の通気性シャツは、背面の広い部分に設けられたメッシュ部分６によって、ムレ感が抑えられたものでありながら、特定の形状に形成、取り付けられた補強布部材７によって、柔軟性の高いメッシュ生地を利用しても十分な強度とホールド感が得られるため、極めて着心地の良いものである。
【００２２】
以上の実施態様においては、十分袖シャツを例にとって説明したが、本考案はこれに限定されるものでなく、七分袖シャツや、半袖シャツあるいは袖無しシャツにおいても実施できるものである。
【産業上の利用可能性】
【００２３】
上記したように、本考案の通気性シャツは背面の広い部分に設けられたメッシュ部分によって、ムレ感が抑えられたものでありながら、特定の形状に形成、取り付けた補強布部材によって、柔軟性の高いメッシュ生地を利用した場合であっても十分な強度とホールド感が得られるものである。
【００２４】
従ってこのシャツは、一般のスポーツ用のウエア、アンダーウエアあるいは室内着として広く利用しうるものである。
【図１】
0003167800.tif 000003
【図２】
0003167800.tif 000004
【図３】
0003167800.tif 000005